(57)【要約】【課題】斜面等に設置した土圧板に対して複数方向からの緊張力をかけることにより、該アンカーの支持力を高め、所定の設計強度を実現することができるアンカー構造を得ることを目的とする。【解決手段】アンカーにより斜面４上に固定された土圧板３に防護網や防護柵等の落石等防護施設を構築するためのロープを連結して支持する構成において、斜面４上に設置した土圧板３内の下方にある第１の孔部５ａ内に第１のアンカー７を挿通支持するとともに、土圧板３内の上方にある第２の孔部５ｂ内に第２のアンカー８を挿通支持し、第１のアンカー７と第２のアンカー８の設置角度を略８０度〜略１００度とした落石等防護施設のアンカー構造を提供する。【選択図】図４
2005248536.tif 000002
【特許請求の範囲】
【請求項１】
アンカーにより斜面上に固定された土圧板に防護網や防護柵等の落石等防護施設を構築するためのロープを連結して支持する構成において、
斜面上に設置した土圧板内に複数の孔部を穿設し、該複数の孔部内にアンカーをそれぞれ異なる方向に挿通支持することにより、土圧板に対して複数の方向からの緊張力をかけるようにしたことを特徴とする落石等防護施設のアンカー構造。
【請求項２】
アンカーにより斜面上に固定された土圧板に防護網や防護柵等の落石等防護施設を構築するためのロープを連結して支持する構成において、
斜面上に設置した土圧板内に複数の孔部を穿設し、該複数の孔部内にアンカーをそれぞれ異なる方向に挿通支持することにより、アンカー間に一定の角度を持たせたことを特徴とする落石等防護施設のアンカー構造。
【請求項３】
アンカーにより斜面上に固定された土圧板に防護網や防護柵等の落石等防護施設を構築するためのロープを連結して支持する構成において、
斜面上に設置した土圧板内の第１の孔部内に第１のアンカーを挿通支持するとともに、土圧板内の第２の孔部内に第２のアンカーを挿通支持し、第１のアンカーと第２のアンカーの設置角度を略８０度〜略１００度としたことを特徴とする落石等防護施設のアンカー構造。
【請求項４】
アンカーにより斜面上に固定された土圧板に防護網や防護柵等の落石等防護施設を構築するためのロープを連結して支持する構成において、
斜面上に設置した土圧板内の下方にある第１の孔部内に第１のアンカーを挿通支持するとともに、土圧板内の上方にある第２の孔部内に第２のアンカーを挿通支持し、第１のアンカーと第２のアンカーの設置角度を略８０度〜略１００度としたことを特徴とする落石等防護施設のアンカー構造。
【請求項５】
アンカーにより斜面上に固定された土圧板に防護網や防護柵等の落石等防護施設を構築するためのロープを連結して支持する構成において、
斜面上に設置した土圧板内の第１の孔部内に第１のアンカーを挿通支持するとともに、土圧板内の第１の孔部の水平方向に位置する第２の孔部内に第２のアンカーを挿通支持し、第１のアンカーと第２のアンカーの設置角度を略８０度〜略１００度としたことを特徴とする落石等防護施設のアンカー構造。
【発明の詳細な説明】
【技術分野】
【０００１】
本発明はアンカーにより防護網や防護柵等の落石等防護施設を構築するためのロープを連結して支持する構成において、斜面等に設置した土圧板に対して複数方向からの緊張力をかけることにより、該アンカーに引抜き力が作用して支持力を高め、所定の設計強度を実現するようにしたアンカー構造に関するものである。
【背景技術】
【０００２】
従来から斜面の表層土砂が雨等の自然現象によって流出したり、落石や雪崩等によって斜面が崩壊することを防止するため、種々の斜面安定工法が採用されている。斜面とは岩盤等の安定地盤が表土層で覆われ，表土層の表面が傾斜している場所であって、該斜面に複数本のアンカーを適当な間隔で設置し、該アンカーの地表から突出した部分に吊りロープ等により防護網や防護柵等を取付け、落石や雪崩を受け止めて防護する手段が一般に用いられている。
【０００３】
特に道路や鉄道等に近接して落石や雪崩等の恐れがある斜面においては、斜面の山側にアンカーによって支持された吊りロープで上部あるいは下部が支持されて斜面に一定の左右間隔を空けて建て込まれた多数の支柱を設け、各支柱の上部にそれぞれ縦ロープを連結して垂下し、両端がアンカーにより支持された複数の横ロープを斜面に一定の上下間隔で配置して、この縦横ロープに金網を張設して防護網とし、吊りロープで緩衝して支持された支柱で防護網の上部を吊持して、該防護網で落石や落雪等を上部から受け入れて緩衝し、落下エネルギーを吸収して受け止めるポケット式の落石・雪崩等防護網が構築されている。
【０００４】
上記に関して特許文献１には、斜面にアンカーした吊りロープで支持されている複数の支柱により支持された防護網や防護柵等の落石・雪崩等防護施設において、前記の支柱の上部あるいは下部に連結した吊りロープの中間部を斜面にアンカーしたロープ方向変換金具の中間シーブに掛け渡し逆方向に方向転換して、方向転換した吊りロープの先端部を斜面にアンカーして支柱を支保した落石・雪崩防護施設の支柱吊りロープアンカー構造が記載されている。
【特許文献１】特許第２８６９５１９号
【発明の開示】
【発明が解決しようとする課題】
【０００５】
しかしながら、一般に利用されている手段により斜面等にアンカーを設置して、地表から突出した部分に吊りロープ等により防護網や防護柵等を取付ける手段は、該アンカーが岩用であれば、軟岩，硬岩にかかわりなく利用しているため、岩質によって引抜き試験には合格しても、ロープを実際に力が掛かる方向に緊張させると、引抜き力が働く前にせん断力が作用して岩の表質に亀裂が発生し、所定の設計強度が得られないので、長期に亘る使用中にアンカーが抜去しやすいという課題がある。更に前記特許文献１に記載されたアンカーは得られたアンカーの耐力が必ずしも良好ではないという問題が残っている。
【０００６】
そこで本発明は、斜面等に設置した土圧板に対して複数方向からの緊張力をかけることにより、該アンカーに引抜き力が作用して支持力を高め、所定の設計強度を実現することができるアンカー構造を得ることを目的とするものである。
【課題を解決するための手段】
【０００７】
本発明は上記目的を達成するために、アンカーにより斜面上に固定された土圧板に防護網や防護柵等の落石等防護施設を構築するためのロープを連結して支持する構成において、斜面上に設置した土圧板内に複数の孔部を穿設し、該複数の孔部内にアンカーをそれぞれ異なる方向に挿通支持することにより、土圧板に対して複数の方向からの緊張力をかけるようにした落石等防護施設のアンカー構造、及びアンカー間に一定の角度を持たせた落石等防護施設のアンカー構造を基本として提供する。具体的には、斜面上に設置した土圧板内の第１の孔部内に第１のアンカーを挿通支持するとともに、土圧板内の第２の孔部内に第２のアンカーを挿通支持し、第１のアンカーと第２のアンカーの設置角度を略８０度〜略１００度とした構造，及び第１の孔部を土圧板内の下方に配置し、第２の孔部を土圧板内の上方に配置した構造を提供する。
【０００８】
更に、斜面上に設置した土圧板内の第１の孔部内に第１のアンカーを挿通支持するとともに、土圧板内の第１の孔部の水平方向に位置する第２の孔部内に第２のアンカーを挿通支持し、第１のアンカーと第２のアンカーの設置角度を略８０度〜略１００度とした構造を提供する。
【発明の効果】
【０００９】
本発明によって得られた落石等防護施設のアンカー構造によれば、斜面上に設置した土圧板内の第１の孔部内に第１のアンカーを挿通支持するとともに、土圧板内の第２の孔部内に第２のアンカーを挿通支持し、第１のアンカーと第２のアンカーの設置角度を略８０度〜略１００度としたので、土圧板に吊りロープ等の防護網や防護柵等の落石等防護施設を構築するための各種ロープの一端を連結固定した際に、ロープから土圧板に対して２方向からの緊張力がかかるとともに、第１，第２のアンカーのせん断方向でなく、アンカーを引き抜く方向にも緊張力がかかるので、斜面を構成する岩が軟岩，硬岩にかかわらず該岩の表質に亀裂が発生することがなく、所定の設計強度が得られるとともに長期に亘る使用中にアンカーが抜去する事態は防止することができる。
【発明を実施するための最良の形態】
【００１０】
以下本発明にかかる落石等防護施設のアンカー構造の最良の実施形態を説明する。図１は本発明の一実施例を示す側面図であり、図中の１は支柱、２は該支柱１の吊りロープ、３は斜面４上に設置した土圧板である。支柱１はＨ形鋼等の各種の形鋼で構成されている。Ａは土圧板３を斜面４に固定するための第１のアンカーの挿通方向を示し、Ｂは同じく第２のアンカーの挿通方向を示している。従って本発明では土圧板３に対して第１及び第２のアンカーにより２方向から緊張力をかけることが特徴となっている。
【００１１】
図２（Ａ）は土圧板３の形状例を示す平面図、図２（Ｂ）は同側面図であり、平板状の土圧板本体３ａと、該土圧板本体３ａの下端部に形成された補強部３ｂとから構成されている。土圧板本体３ａの下方には第１のアンカーを挿通するための第１の孔部５ａが、土圧板本体３ａの上方には第２のアンカーを挿通するための第２の孔部５ｂが垂直方向に並んで開口されており、補強部３ｂには前記吊りロープ２の一端が連結固定される孔部６が開口されている。
【００１２】
図３（Ａ）は本発明で用いた他の土圧板３ｃの形状例を示す平面図、図３（Ｂ）は同正面図、図３（Ｃ）は同側面図であり、平板正方形状の土圧板本体３ｄと、該土圧板本体３ｄの上面に形成された補強部３ｅとから構成されている。土圧板本体３ｄの第１のアンカーを挿通するための第１の孔部５ａと、第２のアンカーを挿通するための第２の孔部５ｂが補強部３ｅを挟んで水平方向に並んで開口されており、補強部３ｅには吊りロープ２の一端が連結固定される孔部６が開口されている。
【００１３】
以下図２に示す土圧板３を用いて構築した本発明にかかるアンカー構造を説明する。図４は本発明の第１実施例を示しており、斜面４上に設置した土圧板３内の下方に位置する第１の孔部５ａには、第１のアンカー７が垂直方向に向けて土中に挿通支持されており、土圧板３内の上方に位置する第２の孔部５ｂには第２のアンカー８が水平方向に向けて土中に挿通支持されている。そのため、この第１実施例では第１のアンカー７と第２のアンカー８の設置方向における角度α１は略９０度に形成されている。そして、土圧板３の下向きの設置方向、即ち斜面４の下向きの傾斜方向に対する第１のアンカー７の挿通角度α２は略４０度を下限とする。同様に土圧板３の上向きの設置方向、即ち斜面４の上向きの傾斜方向に対する第２のアンカー８の挿通角度α３は略４０度を下限とする。この第１のアンカー７と第２のアンカー８の設置方向における角度α１が略８０度〜略１００度の角度となるようにする。また、第２のアンカー８と斜面４の下向きの傾斜方向における角度α４は略１２０度以上あるように設置されている。９は第１のアンカー７と第２のアンカー８を支持するためのアンカー支持部材、１０はナット等の締付具である。
【００１４】
次に、図３に示す土圧板３ｃを用いて構築した本発明にかかるアンカー構造を説明する。図５は本発明の第２実施例を示しており、斜面４上に設置した土圧板３ｃ内の左側（図３（Ａ）参照）に位置する第１の孔部５ａには、第１のアンカー７が垂直方向に向けて土中に挿通支持されており、土圧板３ｃ内の右側に位置する第２の孔部５ｂには第２のアンカー８が水平方向に向けて土中に挿通支持されている。第１実施例との相違は第１の孔部５ａと第２の孔部５ｂとが水平方向に並列して配置されていることであり、その他の構成は第１実施例と同様である。そのため、この第２実施例においても第１のアンカー７と第２のアンカー８の設置方向における角度α１は略９０度に形成されている。そして、同様に土圧板３ｃの下向きの設置方向、即ち斜面４の下向きの傾斜方向に対する第１のアンカー７の挿通角度α２は略４０度を下限とし、土圧板３ｃの上向きの設置方向、即ち斜面４の上向きの傾斜方向に対する第２のアンカー８の挿通角度α３は略４０度を下限とする。この第２実施例においても第１のアンカー７と第２のアンカー８の設置方向における角度α１が略８０度〜略１００度の角度となるようにする。また、第２のアンカー８と斜面４の下向きの傾斜方向における角度（α１＋α２）は略１２０度以上あるように設置されている。
【００１５】
かかる第１実施例によれば、斜面４の地盤又は岩盤に削岩機等を利用して孔部を開口してから土圧板３を設置し、該土圧板３内の下方にある第１の孔部５ａに第１のアンカー７を垂直方向に向けて挿通して締付具１０で固定し、土圧板３内の上方にある第２の孔部５ｂに第２のアンカー８を水平方向に向けて挿通してアンカー支持部材９を介して締付具１０で固定する。そして土圧板本体３ａの下端部に形成された補強部３ｂの孔部６に図１に示す吊りロープ２の一端を連結固定して、この吊りロープ２で支持されている複数の支柱１により防護網や防護柵等の落石・雪崩等防護施設を支持する。或いは他の防護網や防護柵等の落石等防護施設を構築するためのロープを固定して支持する。
【００１６】
前記したように斜面４の下向きの傾斜方向に対する第１のアンカー７の挿通角度α２を略４０度を下限とし、斜面４の上向きの傾斜方向に対する第２のアンカー８の挿通角度α３も下限を略４０度にするとともに第２のアンカー８と斜面４の下向きの傾斜方向における角度を略１２０度以上としたことにより、土圧板３にかかる緊張力は第１のアンカー７と第２のアンカー８の支持力の合成、すなわち第１のアンカー７，第２のアンカー８のせん断方向でなく引き抜く方向となり、吊りロープ２やその他の防護網や防護柵等の落石等防護施設を構築するためのロープは土圧板３に対して直交する方向の支持力によって支持されることになる。これに伴って斜面４を構成する岩の表質に亀裂が発生することがなく、所定の設計強度が得られるとともに長期に亘る使用中にアンカーが抜去する事態は防止することができる。尚、本発明の第２実施例に示す他の土圧板３ｃを用いた場合でも基本的に第１実施例と同一の作用が得られる。
【産業上の利用可能性】
【００１７】
以上詳細に説明したように、本発明によれば通常のアンカー設置手段に較べて該アンカーの耐力が充分に得られるとともに土中での支持力も高く、長期に亘る使用中でもアンカーが抜去する事態は生じないので、岩盤等の安定地盤が表土層で覆われて表土層の表面が傾斜している斜面における表土層の一部または全部が流出するのを未然に防止するための斜面安定工法に利用することができる。
【図面の簡単な説明】
【００１８】
【図１】本発明にかかるアンカー構造の一実施例を示す側面図。
【図２】（Ａ）は本発明で用いた土圧板の平面図、（Ｂ）は同側面図。
【図３】（Ａ）は本発明で用いた他の土圧板の平面図、（Ｂ）は同正面図、（Ｃ）は同側面図。
【図４】本発明の第１実施例を示す側面図。
【図５】本発明の第２実施例を示す側面図。
【符号の説明】
【００１９】
１…支柱
２…吊りロープ
３，３ｃ…土圧板
３ａ，３ｄ…土圧板本体
３ｂ，３ｅ…補強部
５ａ…第１の孔部
５ｂ…第２の孔部
７…第１のアンカー
８…第２のアンカー
９…アンカー支持部材
【図１】
2005248536.tif 000003
【図２】
2005248536.tif 000004
【図３】
2005248536.tif 000005
【図４】
2005248536.tif 000006
【図５】
2005248536.tif 000007